(57)【要約】【課題】  種類の異なるインデックス紙を挿入する処理で余剰となるインデックス紙の位置が連続して揃うように排紙する。【解決手段】    複数枚で１セットとなる種類が異なるインデックス紙を給紙する複数の給紙手段と、各給紙手段からタブ位置が異なる複数のインデックス紙を順に選択して印刷物と印刷物との間に挿入するように各給紙手段を切り替える切り替え手段と、後続する給紙手段への切り替え時に、先に選択された給紙手段から最後に給紙されたインデックス紙のタブ位置と、次に選択される給紙手段から給紙すべきインデックス紙のタブ位置とが１セット中で連続するように、後続する給紙手段で使用されない同一種類でタブ位置が異なるインデックス紙を特定の排紙先に連続して排紙させる排紙手段と、を備えることを特徴とする。【選択図】  図１０
2014019578.tif 000002
【特許請求の範囲】
【請求項１】
複数枚で１セットとなる種類が異なるタブ紙を給紙する複数の給紙手段と、
各給紙手段からタブ位置が異なる複数のタブ紙を順に選択して印刷物と印刷物との間に挿入するように各給紙手段を切り替える切り替え手段と、
後続する給紙手段への切り替え時に、先に選択された給紙手段から最後に給紙されたタブ紙のタブ位置と、次に選択される給紙手段から給紙すべきタブ紙のタブ位置とが１セット中で連続するように、後続する給紙手段で使用されない同一種類でタブ位置が異なるタブ紙を特定の排紙先に連続して排紙させる排紙手段と、
を備えることを特徴とする印刷装置。
【請求項２】
前記排紙手段は、各給紙手段の切り替え後に、次に給紙すべき給紙手段から先に選択された給紙手段で使用されたタブ位置と同位置となるタブ紙を前記特定の排紙先に連続して排紙させることを特徴とする請求項１記載の印刷装置。
【請求項３】
前記排紙手段は、いずれかの給紙手段から１セットでタブ位置が末番位置となるタブ紙を給紙させた後、先行する給紙手段で使用されないタブ紙をタブ位置が揃うように前記特定の排紙先に連続して排紙させることを特徴とする請求項１記載の印刷装置。
【請求項４】
複数枚で１セットとなる種類が異なるタブ紙を給紙する複数の給紙手段と、
各給紙手段からタブ位置が異なる複数のタブ紙を順に選択して印刷物と印刷物との間に挿入するように各給紙手段を切り替える切り替え手段と、
後続する給紙手段へ切り替える前に、先に選択された給紙手段から最後に給紙されたタブ紙のタブ位置から使用されない同一種類のタブ紙を連続して特定の排紙先に連続して排紙させる排紙手段と、
を備えることを特徴とする印刷装置。
【請求項５】
複数枚で１セットとなる種類が異なるタブ紙を給紙する複数の給紙手段を備える印刷装置の制御方法であって、
各給紙手段からタブ位置が異なる複数のタブ紙を順に選択して印刷物と印刷物との間に挿入するように各給紙手段を切り替える切り替え工程と、
後続する給紙手段への切り替え時に、先に選択された給紙手段から最後に給紙されたタブ紙のタブ位置と、次に選択される給紙手段から給紙すべきタブ紙のタブ位置とが１セット中で連続するように、後続する給紙手段で使用されない同一種類でタブ位置が異なるタブ紙を特定の排紙先に連続して排紙させる排紙工程と、
を備えることを特徴とする印刷装置の制御方法。
【請求項６】
複数枚で１セットとなる種類が異なるタブ紙を給紙する複数の給紙手段を備える印刷装置の制御方法であって、
各給紙手段からタブ位置が異なる複数のタブ紙を順に選択して印刷物と印刷物との間に挿入するように各給紙手段を切り替える切り替え工程と、
後続する給紙手段へ切り替える前に、先に選択された給紙手段から最後に給紙されたタブ紙のタブ位置から使用されない同一種類のタブ紙を連続して特定の排紙先に連続して排紙させる排紙工程と、
を備えることを特徴とする印刷装置の制御方法。
【請求項７】
請求項５または６に記載の印刷装置の制御方法をコンピュータに実行させることを特徴とするプログラム。
【発明の詳細な説明】
【技術分野】
【０００１】
本発明は、印刷装置、印刷装置の制御方法、及びプログラムに関するものである。
【背景技術】
【０００２】
従来の印刷装置には、印刷物の章や節の見出しを明確にする目的でインデックス紙（タブ紙とも呼ばれる）を挿入する機能がある。通常、インデックス紙は、ある決まった分割数を１セットとし、セット単位で給紙段に収納される。そのため、ジョブの切れ目、または部の切れ目において、余剰なインデックス紙を、本文の印刷物の排紙トレイとは別の排紙トレイに機外排紙する「頭出し」を行う必要がある。
【０００３】
また、複数種類のインデックス紙を一貫した順序で本文の印刷物に挿入するものがある（例えば、特許文献１参照。）。
例えば、図１３に示す成果物３００のように色の異なる複数のインデックス紙を印刷物に挿入することにより、章や節の視認性を向上させるような場合である。ここで、３種類の６分割セットのインデックス紙セット１００１、１００２、１００３がそれぞれの給紙段カセットに収納されていた場合に、一貫した順序で挿入する例を想定する。本文１０１０に対して、１種類目のインデックス紙は１分割目（インデックス紙１００４）と２分割目（インデックス紙１００５）を挿入する。
次に２種類目のインデックス紙は、３分割目（インデックス紙１００６）と４分割目（インデックス紙１００７）を挿入する。最後に３種類目のインデックス紙は５分割目（インデックス紙１００８）と６分割目（インデックス紙１００９）を挿入する。
これにより、複数種類のインデックス紙を一貫した順序で挿入した成果物３００を得る。しかしながら、前記インデックス紙を一貫した順序で挿入した場合の余剰インデックス紙１０１１、１０１２、１０１３は、インデックス紙を本文に挿入した段階で発生することになる。
【先行技術文献】
【特許文献】
【０００４】
【特許文献１】特開２００６−２４８６７２号公報
【発明の概要】
【発明が解決しようとする課題】
【０００５】
複数種類のインデックス紙を本文の印刷物に対して、一貫した順序で挿入する場合、図１４に示すように１種類目のインデックス紙２００１を挿入した時点で、その他の２種類目と３種類目の同じ分割位置のインデックス紙２００３、２００４が不要になる。そのため、部毎に多量の余剰インデックス紙が発生する場合がある。このとき、ユーザが機外に排出された余剰インデックス紙束４０２を再利用する場合、余剰インデックス紙を並べ替えて、再構成する必要がある。
【０００６】
しかしながら、図１４の余剰インデックス紙の排紙順４０３に示すように、複数インデックス紙を一貫した順序で挿入する場合、インデックス紙を挿入するたびに、挿入したインデックス紙以外の同じ分割位置のインデックス紙を機外排出する必要がある。そのため、余剰インデックス紙は、その種類がバラバラの出力順で機外排紙されてしまう。特に、余剰インデックス紙の種類ごとに排紙トレイを分けて機外排出する場合であっても排紙トレイ数に限りがある場合は、同一の排紙トレイに複数種類のインデックス紙を排紙せざるを得ない。そのため、ユーザが余剰インデックス紙束４０２を並べ替えて再構成する操作が大変面倒である。
【０００７】
本発明は、上記の課題を解決するためになされたもので、本発明の目的は、種類の異なるインデックス紙を挿入する処理で余剰となるインデックス紙の位置が連続して揃うように排紙できる仕組みを提供することである。
【課題を解決するための手段】
【０００８】
上記目的を達成する本発明の印刷装置は以下に示す構成を備える。
複数枚で１セットとなる種類が異なるインデックス紙を給紙する複数の給紙手段と、各給紙手段からタブ位置が異なる複数のインデックス紙を順に選択して印刷物と印刷物との間に挿入するように各給紙手段を切り替える切り替え手段と、後続する給紙手段への切り替え時に、先に選択された給紙手段から最後に給紙されたインデックス紙のタブ位置と、次に選択される給紙手段から給紙すべきインデックス紙のタブ位置とが１セット中で連続するように、後続する給紙手段で使用されない同一種類でタブ位置が異なるインデックス紙を特定の排紙先に連続して排紙させる排紙手段と、を備えることを特徴とする。
【発明の効果】
【０００９】
本発明によれば、種類の異なるインデックス紙を挿入する処理で余剰となるインデックス紙の位置が連続して揃うように排紙できる。
【図面の簡単な説明】
【００１０】
【図１】本実施形態を示す印刷装置の外観を示す図である。
【図２】図１に示したデジタル複写機の制御構成を示すブロック図である。
【図３】図２に示した操作部の構成を説明する平面図である。
【図４】図３に示した液晶表示パネルに表示されるＵＩ画面の一例を示す図である。
【図５】図３に示した液晶表示パネルに表示されるＵＩ画面の一例を示す図である。
【図６】図３に示した液晶表示パネルに表示されるＵＩ画面の一例を示す図である。
【図７】図３に示した液晶表示パネルに表示されるＵＩ画面の一例を示す図である。
【図８】図３に示した液晶表示パネルに表示されるＵＩ画面の一例を示す図である。
【図９】図３に示した液晶表示パネルに表示されるＵＩ画面の一例を示す図である。
【図１０】印刷装置の制御方法を説明するフローチャートである。
【図１１】インデックス紙出力状態を説明する図である。
【図１２】インデックス紙出力状態を説明する図である。
【図１３】従来のインデックス紙出力状態を説明する図である。
【図１４】従来のインデックス紙出力状態を説明する図である。
【発明を実施するための形態】
【００１１】
次に本発明を実施するための最良の形態について図面を参照して説明する。
＜システム構成の説明＞
〔第１実施形態〕
図１は、本実施形態を示す印刷装置の外観を示す図である。本例は、インデックス紙を給紙可能なシート後処理装置を接続して、印刷されたシート（用紙）とインデックス紙とを挿入して印刷物を生成可能に構成されている。なお、本例では、印刷装置として、電子写真方式を用いたデジタル複写機を説明する。
【００１２】
図１において、デジタル複写機１００は、原稿から画像を読み取るためのリーダ部１０１および、画像を用紙上に形成するプリンタ部１０８を備える。リーダ部１０１は、原稿束を自動的に順次スキャンするための装置である。
プリンタ部１０８は、リーダ部１０１が読み取った画像データを記憶装置上に格納し、所定のタイミングで読み出されてプリンタ部１０８に転送されることにより用紙上に画像を形成し出力する。
１０２は操作パネルであり、各種設定や調整、機器状況の確認などを行う。１０４はサイドペーパーデッキであり印刷のための用紙を大量に保持することが可能である。１０３はカセット給紙装置（カセット給紙段）であり、様々なサイズの用紙を各段に分けて保持することができる。１０９はフィニッシャ（シート後処理装置）であり、ステープル処理やパンチ処理、製本処理など様々なフィニッシング処理を行うことができる。また、フィニッシャ１０９の各排紙トレイ、１０５を除く１０６、１０７は、必要に応じて昇降可能に構成されており、各排紙トレイ１０６、１０７を昇降させることによって、用紙のソート処理が可能である。
【００１３】
次に、デジタル複写機１００の制御構成２００について図２を参照しながら説明する。図２は、図１に示したデジタル複写機１００の制御構成を示すブロック図である。
図２において、デジタル複写機１００は、後述する制御プログラムに基づいて各種のデータ処理を行うＣＰＵ２０１を備える。ＣＰＵ２０１にはＲＯＭ２０５、ＲＡＭ２０２、操作部１０２、外部Ｉ／Ｆ処理部２０４、画像処理部２０６、記憶装置２０７、リーダ部１０１、プリンタ部１０８がシステムバス２１０により接続されている。
ＣＰＵ２０１は、ＲＯＭ２０５に格納されている制御プログラムに従って、操作部１０２、外部Ｉ／Ｆ処理部２０４、画像処理部２０６、記憶装置２０７、リーダ部１０１、プリンタ部１０８を制御する。なお、ＲＯＭ２０５は、データＲＯＭ、フォントＲＯＭ、プログラムＲＯＭに分かれ、ＣＰＵ２０１によって読みだされるデータ、プログラム、フォント等を格納する。
ＲＡＭ２０２は、ＣＰＵ２０１の作業領域として機能する。
【００１４】
操作部１０２は、表示部を有し、操作画面を表示し、ユーザからの指示を受け付ける。操作部１０２の詳細は、図３を用いて後述する。記憶装置２０７は、リーダ部１０１により読み取られた画像データ、または外部Ｉ／Ｆ処理部２０４を介して外部装置から入力された画像データを格納する。また、記憶装置２０７は、ＣＰＵ２０１によって読みだされるプログラムを格納する。
【００１５】
画像処理部２０６は、必要に応じて、記憶装置２０７に格納された画像データに対して所定の画像処理を行う。また、画像処理部２０６は、記憶装置２０７に格納されている複数の画像データを所望の順番に並び替える電子ソート処理を行う。
これは、用紙の排出先となる排紙トレイを替えるソート処理に代わるソート処理を実現する。また、画像処理部２０６は、上記画像を拡大または縮小する処理を行う。また、画像処理部２０６は、上記画像データからその一部を切り出す画像切り出し処理、上記画像データを所望の角度に回転させる画像回転処理、上記画像データを所定方向へ移動させる画像移動処理などを行うことが可能である。
【００１６】
外部Ｉ／Ｆ処理部２０４は、外部装置（図示しないＰＣ装置、サーバ装置を含む）との間でデータの送受信を行う。外部装置からＰＤＬデータが入力された場合には、ＲＩＰ処理をＲＡＭ２０２上で施すことにより画像データを記憶装置２０７に格納し、所定のタイミングで読み出され、プリンタ部１０８で用紙上に画像を形成し出力する。
【００１７】
次に、操作部１０２の詳細について説明する。
図３は、図２に示した操作部１０２の構成を説明する平面図である。
図３において、操作部１０２には、数値を入力するためのテンキー７０５と動作開始を指示するスタートキー７０６を含む複数のハードキーと液晶表示パネル７０１を有する。液晶表示パネル７０１には、タッチパネルシートが貼られており、各種設定を行うための操作画面が表示し、タッチパネルシートを介してユーザから操作を受け付ける。ここでは、液晶表示パネル７０１にはコピーを行うための初期操作画面が表示されている。この初期操作画面においては、設定された内容、両面キー７０３、仕上げキー７０２、応用モードキー７０４を含むソフトキーが表示されている。
【００１８】
本実施形態においては、原稿に対して複数枚を１セットとするインデックス紙（タブ紙）を含む特定の用紙を挿入するために、原稿のページ毎にどの給紙段の用紙を給紙させるかを指定させる表紙／合紙モードが設けられている。
この表紙／合紙モードについては、図４〜図９を参照しながら説明する。
図４〜図９は、図３に示した液晶表示パネル７０１に表示されるユーザインタフェース画面の一例を示す図である。
図４に示す応用モード画面８００は、図３に示したコピー初期表示画面における応用モードキー７０４を押下することによって遷移する画面の一例である。応用モード画面８００には、表紙／合紙キー８０１を含む、製本処理や、縮小レイアウトといったコピー機能に係る処理モードを指定させるためのソフトキーが表示される画面である。
【００１９】
図５に示す挿入紙の種類選択画面９００は、応用モード画面８００の表紙／合紙キー８０１を押下することによって遷移する画面の一例を示す図である。挿入紙の種類選択画面９００は、表紙、合紙、章紙、インデックス紙といった挿入紙の種類を指定する画面である。ここで、連続インデックス紙キー９０１は、複数種類のインデックス紙を一貫した順序で挿入する処理を行うモードを指定するためのソフトキーである。
【００２０】
図６に示す挿入ページ指定画面１００００は、連続インデックス紙キー９０１を押下することによって遷移する画面の一例である。挿入ページ指定画面１００００は、原稿の指定ページの後ろにどの給紙段の挿入紙を何枚挿入させるかをリストで表示した画面である。
【００２１】
追加キー１００２０は、挿入紙を原稿ページの何ページ目にどの給紙段から何枚挿入するかを設定させるためのソフトキーである。詳細／編集キー１００３０は、既に挿入紙位置リスト１００１０にある挿入紙設定を再編集させるためのソフトキーである。消去キー１００４０は、既に挿入紙位置リスト１００１０にある挿入紙設定を選択し消去するためのソフトキーである。
【００２２】
図７に示す追加画面１１００は、挿入ページ指定画面１００００の追加キー１００２０を押下することによって遷移する画面の一例である。
追加画面１１００においては、挿入紙を挿入する原稿ページ位置指定１１０１、挿入する挿入紙の枚数指定１１０２、挿入紙を給紙する給紙段指定１１０４が可能である。ＯＫキー１１０３を押下することによって、図６に示した挿入紙位置リスト１００１０に挿入紙設定が追加される。
【００２３】
図８に示すシフト幅設定画面１２００は、図６に示した次へキー１００５０を押下することによって遷移する画面の一例である。シフト幅設定画面１２００は、原稿に含まれるインデックス部分に印字させたい画像を、インデックス部分に印字するために、インデックス画像を移動させる移動量１２０２を設定させる画面である。通常、Ａ４サイズのインデックス紙では、１２ｍｍ程度インデックス画像を移動させれば足りるが、シフト幅設定画面１２００では、その移動量を０から２５ｍｍの幅で変更可能である。
【００２４】
図９に示すインデックス紙の分割数設定画面１３１０は、図８に示したインデックス数入力キー１２０３を押下することによって遷移する画面の一例である。分割数設定画面１３１０は、給紙段にセットされるインデックス紙のインデックスの分割数を設定するための操作画面である。
ここでは、マイナスキー１３１２、プラスキー１３１３を操作することによって、インデックス紙の分割数を示す領域１３１１に入力される。インデックス紙の分割数入力後、閉じるキー１３１４を押下することにより、図８に示した画面へと遷移し、当該インデックス紙の分割数が確定する。また、インデックス紙の分割数は、給紙段にインデックス紙をセットし、給紙段の用紙登録時に合わせて設定させる方法でも良い。
【００２５】
図８に示すＯＫキー１２０１は、挿入紙位置リスト１００１０で設定した挿入紙設定を記憶装置２０７へ保存し、コピージョブに反映させるためのソフトキーであり、これによって、連続インデックス紙モードの設定が完了する。図３〜図１０の操作画面を使って設定された内容は、記憶装置２０７に記憶され、ＣＰＵ２０１によって参照される。
【００２６】
図１０は、本実施形態を示す印刷装置の制御方法を説明するフローチャートである。本例は、連続インデックス紙モードを指定した場合の印刷処理例である。なお、各ステップは、ＣＰＵ２０１がＲＯＭ２０５や記憶装置２０７に記憶された制御プログラムをＲＡＭ２０２にロードして実行することにより実現される。
【００２７】
Ｓ１００では、ＣＰＵ２０１が操作部１０２のスタートキー７０６をユーザが押下したことを検知したら、連続インデックス紙モードで挿入紙を挿入するよう設定されたコピージョブが開始される。Ｓ１０１では、リーダ部１０１に載置された原稿を順次読み込むことによって、ＣＰＵ２０１は、イメージセンサ（ＣＩＳ）により読み込まれた画像データを記憶装置２０７に書き込み、所定のタイミングで読みだされプリンタ部１０８へ送る。Ｓ１０２では、ＣＰＵ２０１がインデックス紙総給紙枚数と、インデックス紙種類ごとの給紙枚数のカウンタ領域を記憶装置２０７に確保し「０」で初期化する。
【００２８】
Ｓ１０３では、ＣＰＵ２０１が記憶装置２０７に記憶されている挿入紙設定を読み込むことによって、当該ジョブの最初に挿入する挿入紙を給紙する給紙段を記憶装置２０７の記憶領域に書き込む。ここで、記憶領域に書き込む情報は、給紙段としているがインデックス紙の種類を一意に決定できるものであれば、用紙タイプ、用紙サイズ等であっても良い。次に、Ｓ１０４では、ＣＰＵ２０１がＳ１０１で読み込まれた原稿の画像データを記憶装置２０７より順次読み出し、挿入紙設定に従い印刷処理を開始する。
【００２９】
Ｓ１０５では、ＣＰＵ２０１が記憶装置２０７から挿入紙設定を読み出し、次に処理するページの用紙タイプがインデック紙かどうかを判断する。Ｓ１０５でインデックス紙であるとＣＰＵ２０１が判断した場合は、Ｓ１０６へ進み、インデックス紙ではないとＣＰＵ２０１が判断した場合は、Ｓ１１１へ進み印刷処理を継続する。
【００３０】
Ｓ１０６では、ＣＰＵ２０１はＳ１０３で記憶装置２０７に書き込んだ記憶領域を読み出し、現在給紙しようとしているインデックス紙の給紙段と比較して同じ給紙段であるかどうかを判断する。Ｓ１０６で比較した結果、異なる給紙段であるとＣＰＵ２０１が判断した場合は、Ｓ１０７へ進み、同じ給紙段であるとＣＰＵ２０１が判断した場合は、Ｓ１１１へ進み、インデックス紙を給紙し、印刷処理を行う。
Ｓ１０７では、ＣＰＵ２０１が現在給紙しようとしているインデックス紙の給紙段に対して、余剰インデックス紙の排紙が必要かどうかを判断する。ここで、ＣＰＵ２０１は、余剰インデックス紙の排紙が必要かどうかを、当該ジョブ中に挿入したインデックス紙の総給紙枚数Ａから、現在給紙しようとしているインデックス紙の給紙枚数Ｂを引いた値によって判断する。即ち、（Ａ−Ｂ）＝０であるとＣＰＵ２０１が判断した場合、余剰インデックス紙排紙の必要が無いと判断し、Ｓ１０９へ進む。
一方、（Ａ−Ｂ）＞０の関係が成立するとＣＰＵ２０１が判断した場合は、Ｓ１０８へ進み、ＣＰＵ２０１は、現在給紙しようとしている給紙段から（Ａ−Ｂ）枚を余剰インデックス紙として、本文を出力する排紙トレイとは別の排紙トレイに排紙する。
【００３１】
Ｓ１０９では、ＣＰＵ２０１が現在給紙しようとしているインデックス紙の給紙段をＳ１０３で記憶装置２０７に書き込んだ記憶領域に上書きする。次にＳ１１０では、ＣＰＵ２０１がＳ１０２で初期化したインデックス紙総給紙枚数と現在給紙しようとしているインデックス紙の給紙枚数のカウンタ領域に対して「１」インクリメントする。
【００３２】
Ｓ１１１では、ＣＰＵ２０１がインデックス紙を含む現在処理するページの用紙を給紙段から給紙し、プリンタ部に送り、印刷処理を行い、排紙する。Ｓ１１２では、ＣＰＵ２０１が当該ジョブにおいて以降、記憶装置２０７記憶している給紙段から挿入紙を給紙することがないかどうかを判断する。なお、ＣＰＵ２０１は、給紙するかどうかについて、記憶装置２０７から挿入紙設定読み出し、現在の処理ページ以降に記憶している給紙段から給紙が発生するかどうかで判断する。ここで、記憶している給紙段からの給紙が発生するとＣＰＵ２０１が判断した場合は、Ｓ１１３へ進み、余剰インデックス紙排紙処理を行う。
Ｓ１１３では、ＣＰＵ２０１が記憶装置２０７から挿入紙の設定を読み込み、インデックス紙の分割数Ｐから記憶している給紙段のインデックス紙種類の給紙枚数Ｂを引いた値（Ｐ−Ｂ）枚を余剰インデックス紙として機外排出する。
【００３３】
一方、Ｓ１１２で記憶している給紙段からの給紙が発生しないとＣＰＵ２０１が判断した場合、または、Ｓ１１３で余剰インデックス排紙が終了した場合は、Ｓ１１４へ進む。Ｓ１１４では、ＣＰＵ２０１が当該ジョブの印刷処理が終了したかどうかを判断し、終了していないと判断した場合は、Ｓ１０５へ戻り、終了と判断した場合は当該印刷ジョブの終了となる。
【００３４】
なお、図１０の処理例では、部数設定が複数部である場合も有効である。ここで、３種類の６分割セットのインデックス紙を２枚ずつ本文へ挿入させる設定を行い、本実施形態における図１０の処理フローに従って出力する場合について図１１および図１２を参照しながら説明する。
【００３５】
図１１に示すインデックス紙セット状態おいて、５００１、５００２、５００３は、３種類のインデックス紙それぞれがカセット給紙段１、２、３に設定されていることを示す。なお、カセット給紙段１、２、３は、図１に示したカセット給紙段１３０が備えるカセット給紙段１０３Ａ、１０３Ｂ、１０３Ｃのいずれかに対応するものとする。
操作部１０２から連続インデックス紙モードの設定を行い、１ページ目、４ページ目にカセット給紙段１のインデックス紙を指定する。７ページ目、１０ページ目、にカセット給紙段２のインデックス紙を指定する。
【００３６】
１３ページ目、１６ページ目にカセット給紙段３のインデックス紙を指定する。以上のように挿入紙設定を行った場合の本文と挿入紙、および余剰インデックス紙の排紙順を、図１２の（Ａ）に示す排紙順６００に示す。なお、図１２の（Ａ）は、第１の排紙制御例である。具体的には、後続する給紙手段へ切り替える前に、先に選択された給紙手段から最後に給紙されたインデックス紙のタブ位置から使用されない同一種類のインデックス紙を連続して特定の排紙先に連続して排紙させる排紙例である。
ここで、図１２の（Ａ）に示す排紙順６００において、ハーフトーンの四角がカセット給紙段１のインデックス紙５００１を示し、斜線の四角がカセット給紙段２のインデックス紙５００２を示す。また、網掛けの四角がカセット給紙段３のインデックス紙５００３を表す。
【００３７】
それぞれ、四角の中の数字はインデックスの分割位置を示している。また、図１０に示したＳ１０３で記憶装置２０７に給紙段を記憶させる記憶領域の変化を給紙段情報６０１に示す。
図１２の（Ａ）に示す排紙順６００において、挿入紙設定に従い１ページ目（インデックス紙６００１）、４ページ目（インデックス紙６００２）にカセット給紙段１のインデックス紙を挿入する（Ｓ１００〜Ｓ１１４）。
４ページ目のインデックス紙６００２を挿入した段階で、以降カセット給紙段１からの挿入紙が発生しないため、余剰インデックス紙排紙６００３を行う（Ｓ１１２、Ｓ１１３）。次に、７ページ目にインデックス紙６００５を挿入する段階で、記憶している給紙段と７ページ目に挿入するインデックス紙の給紙段が異なるため、カセット給紙段２における余剰インデックス紙排紙６００４を行う（Ｓ１０５〜Ｓ１０８）。
ここで、挿入するインデックス紙の種類が変わるため、記憶している給紙段情報がカセット給紙段１からカセット給紙段２へ書き換えられる（Ｓ１０９）。
【００３８】
続いて、７ページ目（６００５）、１０ページ目（６００６）のインデックス紙を挿入した段階で、以降カセット給紙段２からの挿入紙が発生しないため、余剰インデック紙排紙（６００７）を行う（Ｓ１１２、Ｓ１１３）。次に、１３ページ目（６００９）にインデックス紙を挿入する段階で、記憶している給紙段と１３ページ目に挿入するインデックス紙の給紙段が異なるため、カセット給紙段３における余剰インデックス紙排紙（６００８）を行う（Ｓ１０５〜Ｓ１０８）。また、ここで、挿入するインデックス紙の種類が変わるため、記憶している給紙段情報がカセット給紙段２（給紙段情報６０１２）からカセット給紙段３（給紙段情報６０１３）に書き換えられる（Ｓ１０９）。
【００３９】
続いて、１３ページ目（タブ６００９）、１６ページ目（タブ６０１０）にカセット給紙段３のインデックス紙を挿入し、当該ジョブが終了する。以上が、図１０の処理フローに従ったインデックス紙の排紙処理例である。
これにより、複数種類のインデックス紙を一貫した順序で出力した成果物５０１を得ながらも、インデックス紙の種類ごとにまとまった余剰インデックス紙束を出力することが可能である。そのため、ユーザが余剰インデックス紙を再利用する場合に、インデックス紙を種類ごとに並べ替える操作が従来よりも大幅に軽減させることができる。
【００４０】
〔第２実施形態〕
図１２の（Ｂ）は第２の排紙順７００に基づく処理例である。具体的には、後続する給紙手段への切り替え時に、先に選択された給紙手段から最後に給紙されたインデックス紙のタブ位置と、次に選択される給紙手段から給紙すべきインデックス紙のタブ位置とが１セット中で連続するように給紙する。その際、後続する給紙手段で使用されない同一種類でタブ位置が異なるインデックス紙を特定の排紙先に連続する排紙例である。
より具体的には、ＣＰＵ２０１がプリンタ部１０８のカセット給紙装置１０３Ａ〜１０３Ｃを以下のように制御する。各カセット給紙装置の切り替え後に、次に給紙すべき給紙手段から先に選択された給紙手段で使用されたタブ位置と同位置となるインデックス紙を特定の排紙先（例えば図１に示した排紙トレイ１０５）に連続して排紙させる。
また、ＣＰＵ２０１は、いずれかのカセット給紙装置１０３Ａ〜１０３Ｃから１セットでタブ位置が末番位置となるインデックス紙を給紙させた後、先行する給紙手段で使用されないインデックス紙をタブ位置が揃うように特定の排紙先に連続して排紙させる。
本例では、タブ位置が１番目のインデックス紙７００１をカセット給紙装置１０３Ａから給紙した後、２ページ分の用紙を排紙した後、タブ位置が２番目のインデックス紙７００２をカセット給紙装置１０３Ａから給紙する。これにより、インデックス紙７００１とインデックス紙７００２より挟まれるように印刷物が排紙トレイ１０５に排紙される。次に、ＣＰＵ２０１は、インデックス紙の給紙先をカセット給紙装置１０３Ｂに切り替える。ここで、上述したようなフローチャートの処理に従い管理されるカセット給紙装置１０３Ｂのタブ位置を示すタブ位置情報は「１」となる。したがって、ＣＰＵ２０１は、次に給紙すべきタブ位置は、３番目となるように、インデックス紙の給紙先をカセット給紙装置１０３Ｂからタブ位置が１番目と２番目のインデックス紙７００３を排紙トレイ１０５に排紙させる。以後、３番目のインデックス紙７００４を排紙トレイ１０５に排紙させた後、次の印刷物を排紙トレイ１０５に排紙する。そして、ＣＰＵ２０１は４番目のインデックス紙７００５を排紙トレイ１０５に排紙させる。続いて、次に給紙すべきタブ位置は、５番目となるように、インデックス紙の給紙先をカセット給紙装置１０３Ｃからタブ位置が１番目〜４番目のインデックス紙７００６を排紙トレイ１０５に排紙させる。以後、５番目のインデックス紙７００７を排紙トレイ１０５に排紙させた後、次の印刷物を排紙トレイ１０５に排紙する。そして、ＣＰＵ２０１は６番目のインデックス紙７００８を排紙トレイ１０５に排紙させる。そして、ＣＰＵ２０１は、カセット給紙装置１０３Ａからタブ位置が第３番目から６番目のインデックス紙７００９を排紙トレイ１０５へ排紙させる。その後、カセット給紙装置１０３Ｂからタブ位置が第５番目、６番目のインデックス紙７０１０を排紙トレイ１０５へ排紙させる。
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００４１】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００４２】
１０１  リーダ部
１０２  操作部
１０３  カセット給紙装置
１０６  排紙トレイ
１０８  プリンタ部
１０９  フィニッシャ
２０１  ＣＰＵ
２０５  ＲＯＭ
２０７  記憶装置
【図１】
2014019578.tif 000003
【図２】
2014019578.tif 000004
【図３】
2014019578.tif 000005
【図４】
2014019578.tif 000006
【図５】
2014019578.tif 000007
【図６】
2014019578.tif 000008
【図７】
2014019578.tif 000009
【図８】
2014019578.tif 000010
【図９】
2014019578.tif 000011
【図１０】
2014019578.tif 000012
【図１１】
2014019578.tif 000013
【図１２】
2014019578.tif 000014
【図１３】
2014019578.tif 000015
【図１４】
2014019578.tif 000016